(57)【特許請求の範囲】
【請求項１】
放送信号を受信する受信部と、
上記受信部を制御する制御部と、
ユーザインタフェースであるユーザインタフェース部を備え、
上記制御部は、受信した放送信号の再生出力の可否を判別するために、上記受信部にて受信した放送信号の受信状態を判定し、放送信号の受信状態の判定結果に応じて、上記受信部へ電力を供給するか否かを制御するものであり、
上記受信状態の判定結果に基づいて上記受信部への電力供給を停止したときと、
上記受信部への電力供給を停止した後に、上記受信部にて受信した放送信号の受信状態を判定し、上記受信部への電力供給を再開するときとの少なくとも何れか一方に、
上記ユーザインタフェース部を用いて行われている、表示および音声出力の少なくとも何れか一方の動作が、上記放送信号の表示および音声出力の少なくとも何れか一方の動作と重なる動作か否かを判定し、動作を判定した結果に基づいて上記ユーザインタフェース部の動作の制御を行うことを特徴とする携帯端末。
【請求項２】
上記制御部は、放送信号の受信状態の判定結果に応じて、上記ユーザインタフェース部を用いてユーザへの通知処理を行うことを特徴とする請求項１に記載の携帯端末。
【請求項３】
上記携帯端末は複数の形態をとることができる携帯端末であって、
上記携帯端末の形態によって上記通知処理を異ならせることを特徴とする請求項２に記載の携帯端末。
【請求項４】
上記ユーザインタフェース部は表示部であり、
上記ユーザインタフェース部の動作の制御は、前記表示部を複数の領域に分割又は消去することであることを特徴とする請求項１に記載の携帯端末。
【請求項５】
上記ユーザインタフェース部は表示部であり、
上記ユーザインタフェース部の動作の制御は、前記表示部の画面表示をスルー画面にする又は通常画面にする制御を行うことを特徴とする請求項１に記載の携帯端末。
【発明の詳細な説明】
【技術分野】
【０００１】
本発明は、放送信号を受信可能な携帯端末、携帯端末における受信方法、プログラムおよび記録媒体に関するものであり、例えば、アナログＴＶ放送信号、地上波デジタルＴＶ放送信号またはラジオ放送信号等などの放送信号を受信可能な携帯電話に代表される携帯端末、携帯端末における受信方法、プログラムおよび記録媒体に関する。
【背景技術】
【０００２】
従来、アナログのテレビジョン放送信号を受信するための携帯端末が知られていた。
【０００３】
また、携帯電話のような携帯端末では、受信する電波の状況によって、電波状態が悪い
ときに一時的に接続を中断し、その後に電波状態が回復した後で再接続する構成が知られ
ている（特許文献１、３、４など）。また、デジタル専用線において、接続が切れた後に
再接続する構成も知られている（特許文献２）。
【０００４】
なお、特許文献５には、場所を移動しても、放送の自動選局および同調が可能である構
成が開示されている。
【特許文献１】特開２０００−０２３２３１号公報（公開日：２０００年１月２１日）
【特許文献２】特開平５−１８３６３１（公開日：１９９３年７月２３日）
【特許文献３】特開平１０−２２４８５８（公開日：１９９８年８月２１日）
【特許文献４】特開２００１−２５１６８０（公開日：２００１年９月１４日）
【特許文献５】特開平８−１６２９０９（公開日：１９９６年６月２１日）
【発明の開示】
【発明が解決しようとする課題】
【０００５】
しかしながら、従来のアナログＴＶ電波受信端末や、携帯電話のような携帯端末では、省電力のための十分な電力供給制御が行われていなかったという問題がある。
【０００６】
すなわち、従来のアナログＴＶ電波を受信する端末では、電波状況が多少悪くなっても、その悪くなった電波状況に応じた映像出力、音声出力を得ることができた。このため、電波状況に応じて省電力モードに移行するといった電力供給制御が行われることはなかった。
【０００７】
また、従来の携帯電話での電力制御は、例えば相手先との接続を確認するために、相手方へ信号を伝送し、または相手方からの返信を受信するという動作が必要であり、一般的に受信のみを行うＴＶ電波受信端末の電力制御とは異なっている。
【０００８】
特に、携帯電話などの携帯端末においては、電池の持続時間が重要となる。特にチューナ部分の消費電力が大きいと、放送信号以外の他の端末機能（この場合は携帯電話機能）が使用できなくなるという問題があり、端末装置にチューナ部を備えた場合の省電力化が強く望まれる。
【０００９】
また、携帯端末では、据置型の機器に比べ、ユーザが携帯して移動することが予想され、放送信号の受信レベル（誤り率）などが大きく変動する可能性が高くなることから、さらに上述した消費電力低減化と受信レベル変動に対する対応とを両立させることが大きな課題となっている。
【００１０】
本発明は、上記の問題点に鑑みてなされたものであり、その目的は、省電力のための適切な電力供給制御を行う携帯端末、携帯端末における受信方法、プログラムおよび記録媒体を提供することにある。
【課題を解決するための手段】
【００１１】
本発明に係る携帯端末は、上記課題を解決するために、放送信号を受信する受信部と、上記受信部を制御する制御部と、ユーザインタフェースであるユーザインタフェース部を備え、上記制御部は、受信した放送信号の再生出力の可否を判別するために、上記受信部にて受信した放送信号の受信状態を判定し、放送信号の受信状態の判定結果に応じて、上記受信部へ電力を供給するか否かを制御するものであり、上記受信状態の判定結果に基づいて上記受信部への電力供給を停止したときと、上記受信部への電力供給を停止した後に、上記受信部にて受信した放送信号の受信状態を判定し、上記受信部への電力供給を制御するときとに、上記ユーザインタフェース部を用いて行われている動作を判定し、動作を判定した結果に基づいて上記ユーザインタフェース部の動作の制御を行うことを特徴としている。
【００１２】
ここで、携帯端末の受信する放送信号とは、例えばアナログＴＶ放送信号、地上波デジタルＴＶ放送信号またはラジオ放送信号などである。なお、放送信号を受信する受信部は、受信機能のみを備える構成に限るものではなく、放送信号を送受信する送受信部であってもよい。携帯端末は、放送信号を、例えばアンテナを介して受信部のチューナ部にて受信する。
【００１３】
上記携帯端末では、受信部にて受信した放送信号に基づいて、例えば画像を表示する表示部に再生出力として画像を表示し、または音声を出力する音声出力部から再生出力として音声を出力する。
【００１４】
携帯端末の制御部は、受信部にて受信した放送信号の受信状態を判定する。より詳細には、制御部は、放送信号の受信状態が再生出力に適したレベルであるか否かを判定する。
【００１５】
ここで、放送信号の受信状態とは、例えば放送信号の受信レベルである。また、放送信号が地上波デジタルＴＶ放送信号である場合には、受信状態とは受信レベルおよび誤り率である。再生出力の可否を判別するために、すなわち、例えば放送信号に基づく画像の表示が可能であるか、または音声の出力が可能であるかという点を判別するために、受信状態の適否を判定する。
【００１６】
例えば、制御部は、受信レベルが所定のレベル以上である場合には適切であると判定し、また所定のレベル未満である場合には不適切であると判定する。また、例えば受信状態としての誤り率を判定するときには、制御部は、誤り率が所定のレベル以下である場合には適切であると判定し、また所定のレベルを超えている場合には不適切であると判定してもよい。また、例えば受信状態として、受信レベルおよび誤り率の双方を判定する場合には、双方が適切である場合に受信状態が適切であると判定し、それ以外は不適切であると判定してもよい。
【００１７】
このように、制御部が再生出力の可否を判別するために受信状態の適否を判定するので、この判定に応じて適切な制御、処理が可能となる。
【００１８】
例えば、受信状態が不適切であると判定した場合に、表示部・音声出力部を用いてユー
ザへの警告を行い、適切な受信状態が得られる場所への移動を促すことができる。また例えば、受信状態が不適切であると判定した場合には、映像・音声などの再生出力ができないので、再生出力するための表示部・音声出力部への電力供給を停止してもよい。または、受信状態が適切であると判定した場合に、例えば電話中であれば電話を優先してテレビ放送は表示せず、メール中であれば画面を分割してテレビ放送を表示するといったように、携帯端末にて行っていた他の動作に応じて、適切な形態で再生出力を開始することができる。
【００１９】
また、制御部は、受信状態の変化に応じて、例えば受信状態が適切から不適切に、または例えば不適切から適切に変化した場合に、所定の処理を行っても良い。
【００２０】
本発明に係る携帯端末は、上記構成において、上記制御部が、放送信号の受信状態の判定結果に応じて、携帯端末本体の有する各部へ電力を供給するか否かを制御することが好ましい。
【００２１】
制御部が、受信状態の判定結果に応じて、携帯端末本体の有する各部への電力供給を制御して、適切な電力制御を実現できる。
【００２２】
例えば、受信状態が適切であると判定した場合に、制御部は、電源からの電力を、放送信号の再生出力に必要な各部へ供給するように制御する。
【００２３】
また、例えば、受信状態が不適切であると判定した場合に、制御部は、受信部への電力の供給を停止してもよい。または、受信状態が不適切であると判定した場合に、制御部は、表示部への電力の供給を停止してもよい。これにより、無駄な消費電力を削減できる。
【００２４】
したがって、上記携帯端末によれば、受信部にて受信した受信状態に応じて、例えば電力の出力先としての受信部への電力供給を、供給または停止できる。よって、例えば周囲の状況が変化し、放送信号の受信状態が悪化した場合に、受信レベルの低下に応じて受信部への電力の供給を停止して、無駄な電力消費を削減できる。
【００２５】
また、例えば、上記携帯端末は、チューナ部にて受信した受信状態に応じて、例えば電力の出力先としての表示部への電力供給を、供給または停止できる。よって、例えば周囲の状況が変化し、放送信号の受信状態が悪化した場合に、受信レベルの低下に応じて表示部への電力の供給を停止して、無駄な電力消費を削減できる。
【００２６】
なお、例えば所定の受信レベル以下の場合や所定の誤り率以上の場合のように、受信状態が悪化した場合には、自動的に必ず電力供給を停止しても良いし、停止前にユーザへ問合せるようにしても良いし、さらにはそれら両者の何れにするかを設定可能としても良い。
【００２７】
本発明に係る携帯端末は、上記構成において、さらに、ユーザインタフェースであるユーザインタフェース部を備え、上記制御部は、放送信号の受信状態の判定結果に応じて、上記ユーザインタフェース部を用いてユーザへの通知処理を行うことが好ましい。
【００２８】
ユーザインタフェース部とは例えば表示部（複数の表示部があれば少なくとも何れかの表示部）、スピーカなどであるが、これに限らず例えば携帯端末が携帯電話である場合のように、その他のバイブ部や、カメラ付き携帯電話の撮影用照明部などを含んでいてもよい。
【００２９】
例えば、制御部は、受信状態が適切であると判定した場合に、ユーザへその旨の通知を行う。例えば、表示部への表示、スピーカからの音声、またはバイブ部による振動、または撮影用照明部の点灯、点滅、点灯色などによって、受信状態が適切であるので再生出力が可能となったことを、ユーザへ通知できる。これによって、携帯端末を例えばポケットに入れていた場合であってもユーザに通知できるので、ユーザが所望のテレビ放送を見逃すことがない。
【００３０】
また、制御部は、受信状態が不適切であると判定した場合に、ユーザへその旨の通知を行う。例えば電波状況が悪いためにテレビ視聴を開始できない場合に、表示部への表示、スピーカからの音声、またはバイブ部による振動、または撮影用照明部の点灯、点滅、点灯色などによって、ユーザへ通知できる。これによって、例えば適切な受信状態が得られる場所へのユーザの移動を促すことができる。
【００３１】
通知処理の内容は、受信状態に応じて異なる内容に設定できる。また、制御部は、携帯端末の記憶装置に備えられたユーザごとの設定（設定ファイル）を参照して通知処理を行う構成であってもよい。
【００３２】
また、制御部は、所定の予約時刻における受信状態の判定結果を、ユーザへ通知することもできる。また例えば、制御部は、受信状態を表示部の所定領域にメータ状にアイコン表示させてもよい。また、予約時刻におけるユーザ通知と、予約時刻以外におけるユーザ通知とを異ならせてもよい。
【００３３】
本発明に係る携帯端末は、上記構成において、さらに、ユーザインタフェースであるユーザインタフェース部を備え、上記制御部は、放送信号の受信状態の判定結果に応じて、上記ユーザインタフェース部を用いて行われている動作を判定し、動作を判定した結果に基づいて所定の処理を行うことが好ましい。
【００３４】
ユーザインタフェース部とは例えば表示部（複数の表示部があれば少なくとも何れかの表示部）、スピーカなどであるが、これに限らず例えば携帯端末が携帯電話である場合のように、その他のバイブ部や、カメラ付き携帯電話の撮影用照明部などを含んでいてもよい。
【００３５】
また、ユーザインタフェース部を用いて行われている動作とは、例えば電話、ＴＶ電話、メール、Ｗｅｂ、音楽再生、映像再生、ＪＡＶＡ（登録商標）、カメラ撮影などであるが、これに限るものではない。
【００３６】
制御部は、受信状態が適切であると判定した場合に、ユーザインタフェース部を用いて行われている動作を判定し、判定結果に基づいて所定の処理を行う。
【００３７】
ここで、所定の処理とは、放送信号を再生出力するために必要な処理であり、例えば再生出力の表示出力に関連する処理や、音声出力に関連する処理などが含まれる。
【００３８】
例えば、携帯端末の表示部においてメールを作成中であった場合に、メール作成用の画面とテレビ視聴用の画面とに画面分割をしてもよい。これによって、例えば受信状態が回復した場合であっても、ユーザに違和感を与えずにテレビ視聴を再開できる。または、制御部は、ユーザへの問い合せを行い、ユーザによる選択に応じて所定の処理を行ってもよい。
【００３９】
また、制御部は、受信状態が不適切であると判定した場合に、ユーザインタフェース部を用いて行われている動作を判定し、判定結果に基づいて所定の処理を行う。例えば、携帯端末の表示部において画面分割をして、ＴＶを視聴中であるとともにメールを作成中であった場合に、電波状況の悪化によってＴＶ視聴を継続できなくなると、表示部のＴＶ画面を消してメールのみの一画面へと変更する。また例えば、ＴＶ映像を背景としてスルー状態で表示した上に、Ｗｅｂまたはメールの画面を重ねて表示していた場合には、Ｗｅｂまたはメールのみの通常画面に戻すよう変更する。このようにして、ＴＶ視聴を継続できなくなった場合でも、ユーザに違和感を与えずに、快適に処理を継続させることができる。また、制御部は、ユーザへの問い合せを行い、ユーザによる選択に応じて所定の処理を行ってもよい。
【００４０】
動作判定に応じた所定の処理の内容は、受信状態に応じて異なる内容に設定できる。また、制御部は、携帯端末の記憶装置に備えられたユーザごとの設定（設定ファイル）を参照して、動作判定に応じた所定の処理を行う構成であってもよい。
【００４１】
また、制御部は、所定の予約時刻に受信状態を判別し、動作判定に応じた所定の処理を行うこともできる。また、予約時刻における所定の処理と、予約時刻以外における所定の処理とを異ならせてもよい。
【００４２】
また、制御部は、携帯端末が、動作時と電源ＯＦＦ時または待機時とにおいて、例えば開閉式のように形態が変化する場合に、この形態を判定し、判定結果に基づいて所定の処理を行う構成であってもよい。
【００４３】
本発明に係る携帯端末は、上記構成において、上記制御部は、上記受信部への電力供給を停止後に、予め定めた所定の条件を検出すると、上記受信部への電力供給を再開することが好ましい。
【００４４】
制御部は、予め定めた所定の条件を検出すると、受信部への電力供給を再開する。ここで、予め定めた所定の条件とは、例えば予め定めた所定時間が経過したか否かを含むものとする。
【００４５】
その後、制御部は、受信部にて受信した放送信号の受信状態を判定する。受信状態が適切であればそのまま電力供給が維持され、受信状態が不適切であれば受信部への電力供給が停止される。受信部への電力供給が停止された場合には、再度上述の所定の条件が検出された後に、上述の動作が繰り返される。
【００４６】
これによって、ユーザに手間をかけることなく、所定時間ごとに受信状態を確認して、電波状況の回復に応じて例えばＴＶ視聴を再開できる。また、受信部には常時電力を供給したりせず、間欠的にのみ電力を供給するので、電波状況の回復までに受信部にて消費する電力を低減できる。
【００４７】
また、所定の条件とは上述の所定時間の経過に限るものではない。例えば、受信状態の変化は携帯端末の移動によって生ずると考えられるので、携帯端末の移動に関する条件を設定してもよい。例えば、携帯端末がさらにＧＰＳ(Global  Positioning  System)を備え、ＧＰＳにて所定の距離の移動を検出した場合に、受信部への電力供給を再開してもよい。または、携帯端末が歩数計としての機能を備え、歩数計にて所定の歩数を検出した場合に、受信部への電力供給を再開してもよい。また、これらの条件を組み合わせてもよい。
【００４８】
本発明に係る携帯端末は、上記構成において、上記受信部が、放送信号を受信するチューナ部を含んでおり、上記制御部が、放送信号の受信状態として、上記チューナ部にて受信した受信レベルを判定し、判定結果に応じて上記チューナ部へ電力を供給するか否かを制御することが好ましい。
【００４９】
これにより、受信状態としての受信レベルに応じてチューナ部への電力供給を制御するので、さらにきめ細かい電力制御を実現できる。
【００５０】
また、上記構成に加えて、上記制御部が、上記チューナ部への電力供給を停止後に、予め定めた所定の条件を検出すると、上記チューナ部への電力供給を再開する構成であってもよい。
【００５１】
本発明に係る携帯端末は、上記構成において、上記受信部が、放送信号を受信するチューナ部からの信号を復調する復調器を含んでおり、上記制御部が、放送信号の受信状態として、チューナ部からの信号を復調器にて復調して得た誤り率を判定し、判定結果に応じて上記復調器へ電力を供給するか否かを制御することが好ましい。
【００５２】
これにより、受信状態としての誤り率に応じて復調器への電力供給を制御するので、さらにきめ細かい電力制御を実現できる。
【００５３】
また、上記構成に加えて、上記制御部が、上記復調器への電力供給を停止後に、予め定めた所定の条件を検出すると、上記復調器への電力供給を再開する構成であってもよい。
【００５４】
本発明に係る携帯端末における受信方法は、携帯端末における受信状態の可否を判定する受信状態判定ステップと、上記受信状態判定ステップにおいて受信状態が不適切と判定した場合に、携帯端末における電源供給を変化させてパワーセーブを行う、パワーセーブステップとを含んでいることを特徴としている。
【００５５】
この構成であれば、携帯端末の備える各部に対する電力供給を、受信状態に応じて、供給または停止できる。よって、例えば周囲の状況が変化し、放送信号の受信状態が悪化した場合に、受信状態の質低下に応じてチューナなどへの電力の供給を停止して、無駄な電力消費を削減できる。
【００５６】
また、上記課題を解決するために、コンピュータを上述のいずれかの携帯端末の制御部として機能させるためのプログラムを用いてもよい。
【００５７】
このプログラムを、上述のユーザインタフェース部などを備え、または着脱可能なユーザインタフェース部などが接続されたコンピュータにおいて実行すれば、上述の携帯端末を実現できる。また、上記課題を解決するために、コンピュータに上述の携帯端末における受信方法を実行させるプログラムを用いてもよい。
【００５８】
また、上記課題を解決するために、上述のいずれかのプログラムを記録した、コンピュータ読取り可能な記録媒体を用いてもよい。
【００５９】
この記録媒体を、上述のユーザインタフェース部などを備え、または着脱可能なユーザインタフェース部などが装着されたコンピュータにおいて読取って、プログラムを実行すれば、上述の携帯端末を実現できる。
【発明の効果】
【００６０】
本発明に係る携帯端末は、放送信号を受信する受信部と、上記受信部を制御する制御部とを備え、上記制御部が、受信した放送信号の再生出力の可否を判別するために、上記受信部にて受信した放送信号の受信状態を判定する構成である。
【００６１】
ここで、受信部における受信状態とは、例えばチューナモジュールのチューナ部にて受信した受信レベルや、チューナモジュールの復調器によって得られる誤り率などである。
【００６２】
このように、制御部が再生出力の可否を判別するために受信状態の適否を判定するので、この判定に応じて適切な制御、処理が可能となるという効果を奏する。
【００６３】
それゆえ、上記携帯端末によれば、例えばチューナモジュールのチューナ部、チューナモジュールの復調器やその他に画像を表示する表示部などへの電力供給を、受信状態に応じて、供給または停止でき、例えば周囲の状況が変化し、放送信号の受信状態が悪化した場合に、受信状態の質低下に応じてチューナなどへの電力の供給を停止して、無駄な電力消費を削減できるという効果を奏する。また、上記携帯端末に備えられたユーザインタフェース部で行われている動作を判定し、所定の処理を行うことによりユーザに違和感を与えずに、快適に処理を継続させることができる。
【発明を実施するための最良の形態】
【００６４】
本発明の一実施形態について図１ないし図１９に基づいて説明すると以下の通りである。尚、以下の説明では、地上波デジタル放送受信部を備えた携帯電話を例にして説明するが、本発明はそれに限定されるものではなく、放送信号についても衛星デジタル放送、ＦＭ／ＡＭラジオ放送などが含まれることはいうまでもない。また携帯端末も放送信号を受信する構成があれば良く、携帯電話に限らず、ＰＤＡ、ノートパソコン、デジタルカメラ、携帯型デジタルビデオレコーダ、オーディオプレーヤーなどでも良い。
【００６５】
携帯電話（携帯端末）１は、図１に示すように、概略的に、送受信部（受信部）２、ユーザＩＦ（ユーザインタフェース）部３、制御部４、記憶部５および電源部６を備えている。また、この携帯電話１は、図示しない時計部を用いて、地上波デジタル放送を予約して受信することもできる。
【００６６】
送受信部２は、電波を受信し、又は電波を送信する、携帯電話１の電波送受信インタフェースである。ユーザＩＦ部３は、携帯電話１のユーザインタフェースである。制御部４は、携帯電話１の各種構成を制御する。制御部４の機能は、例えばＲＡＭ（Random  Access  Memory）やフラッシュメモリなどの記憶装置に記憶されたプログラムを図示しないＣＰＵ（Central  Processing  Unit）が実行することによって実現される。制御部４の詳細な構成については後述する。記憶部５は、携帯電話１の記憶装置である。記憶部５には、ユーザによる設定を記録するための図示しない設定ファイルが記憶される。電源部６は、携帯電話１の電源装置である。
【００６７】
より詳細には、送受信部２は、アンテナ部１１ａ・１１ｂ、チューナモジュール１２、デコーダ部１３および無線処理部１４を含んでいる。
【００６８】
アンテナ部１１ａは、地上波デジタルテレビ放送を受信するためのアンテナである。
【００６９】
チューナモジュール１２は、制御部４のチューナ制御部１５からの指示に応じて、アンテナ部１１ａにて所定の周波数の電波を受信し、受信した信号を復調した後にデコーダ部１３へと出力する。このチューナモジュール１２は、地上波デジタルテレビ放送を受信するためのものであり、アナログのテレビ放送によるＮＴＳＣ（National  Television  System  Committee）形式とは異なった形式を用いている。チューナモジュール１２の詳細については後述する。
【００７０】
デコーダ部１３は、映像データおよび音声データの符号化と復号化とを行う。例えば、チューナモジュール１２から入力されるデータを、映像データおよび音声データへと復号化して、ユーザＩＦ部３の表示部２０およびスピーカ２１へとそれぞれ出力する。すなわち、このデコーダ部１３は、ＴＳＤｅｍｕｘ(Transport  Stream  De-multiplex)として機能する。また、例えば映像データの規格にはＭＰＥＧ−４Visualを用い、音声データの規格にはＭＰＥＧ−２AACを用いる。デコーダ部１３の用いる規格はこれに限るものではなく、例えば動画像符号化技術の国際標準方式であるＨ．２６４／（ＭＰＥＧ−４ＡＶＣ）を用いてもよい。
【００７１】
アンテナ部１１ｂは、携帯電話機能に関する電波を送受信するためのアンテナである。
【００７２】
無線処理部１４は、外部からアンテナ部１１ｂを介して受信した無線信号を復調し、復調したデータをデコーダ部１３に出力する。または、無線処理部１４は、デコーダ部１３から受信したデータを無線送信に適した形式に変調し、変調された無線信号をアンテナ１１ｂを介して外部に送信する。また、無線処理部１４は、データの変復調処理に加えて、例えばチャネルコーデック処理、ベースバンド信号処理、ＲＦ（Radio  Frequency）処理などを行う。
【００７３】
また、デコーダ部１３は、例えば音声データとして、ユーザＩＦ部３の通話入力部２２から入力された音声データを符号化して、無線処理部１４へと出力する。また、デコーダ部１３は、例えば音声データとして、無線処理部１４から入力されたデータを復号して、ユーザＩＦ部３の通話出力部２３へと出力する。
【００７４】
このデコーダ部１３は、例えば３ＧＰＰ(3rd  Generation  Partnership  Project)で標準化された規格に準拠したコーデックとしても機能する。例えば、この携帯電話１はビデオ電話機能を備えており、デコーダ部１３は３ＧＰＰで標準化された３Ｇ−３２４Ｍのようなビデオ電話の規格に準拠している。３Ｇ−３２４Ｍで利用される映像データのコーデックの例としては、ＩＴＵ−Ｔ(International  Telecommunications  Union  Telecommunication  Standardization  Sector)Ｈ．２６３やＭＰＥＧ(Moving  Picture  Experts  Group)−４が挙げられる。また、３Ｇ−３２４Ｍで利用される音声データのコーデックの例としては、ＧＳＭ(Global  System  for  Mobilecommunication)−ＡＭＲ(Adaptive  Multirate)が挙げられる。
【００７５】
ユーザＩＦ部３は、表示部２０、スピーカ２１、通話入力部２２、通話出力部２３、撮影部２４、バイブ部２５および操作部２６を含んでいる。
【００７６】
表示部２０は、デコーダ部１３から入力される映像データに基づいて映像を表示する。
【００７７】
スピーカ２１は、デコーダ部１３から入力される音声データに基づいて音声を出力する。また、スピーカ２１には、図示しないアンプなどの音声出力処理回路も含まれる。ユーザは、デコーダ部１３から入力される音声データのうち、どの音声データをスピーカ２１から出力するかを設定することができる。
【００７８】
通話入力部２２は、携帯電話１を電話機として用いる際に、ユーザの発する音声を音声データに変換し、デコーダ部１３へと出力する。通話入力部２２は、例えば、音波を電気信号に変換するマイクロホンと、Ａ／Ｄ変換器、アンプなどを含んでいる。
【００７９】
通話出力部２３は、携帯電話１を電話機として用いる際に、相手側の携帯電話から送信される音声データを音声に変換する。
【００８０】
撮影部２４は、被写体を撮影して映像データを生成し、デコーダ部１３に出力する。本実施形態の撮影部２４は、被写体からの光を電気信号に変換するＣＣＤ（Charge  Coupled  Device）を撮像素子として備えている。撮影部２４の構成としてはこれに限るものではなく、例えばＣＭＯＳ（Complementary  Metal-oxide  Semiconductor）などの撮像素子を用いる構成であってもよい。また、撮影部２４は、撮像素子からの電気信号をＲＧＢ各色のデジタル映像データに変換する映像処理回路を含んでいる。
【００８１】
バイブ部２５は、制御部４からの指示に基づき、携帯電話１を振動させる。ユーザは、バイブ部２５の振動するパターンおよび振動する時間を設定することができる。
【００８２】
操作部２６は、携帯電話１に設けられた入力デバイスである。この入力デバイスをユーザが操作することにより得た操作データを、操作部２６が制御部４へと出力する。入力デバイスとしては、ボタンスイッチやタッチパネルなどが挙げられる。
【００８３】
また、制御部１４は、チューナ制御部１５、電源制御部１６、電話機能部１７、通知処理部１８および動作判定部１９を含んでいる。なお、制御部４の構成はこれに限るものではなく、各手段の組み合わせは適宜異なっていてもよい。また、制御部４が他の手段を含んでいてもよいことはいうまでもなく、例えば時間を計測する時計部を含んでいてもよい。
【００８４】
チューナ制御部１５は、アンテナ部１１ａにて受信し、チューナモジュール１２にて検出する電波の周波数などを設定する。
【００８５】
電源制御部１６は、チューナモジュール１２から入力されるデータに基づいて選択信号を生成し、電源部６の選択部２７へと出力する。これによって、電源部６から携帯電話１の各部への電力供給を制御する。
【００８６】
電話機能部１７は、携帯電話１の電話機能についての機能ブロックである。電話機能部１７は、通話処理部１７ａ、メール処理部１７ｂ、音楽制御部１７ｃ、ＪＡＶＡ（登録商標）処理部１７ｄ、Ｗｅｂ処理部１７ｅ、撮影制御部１７ｆ、映像制御部１７ｇおよびバイブ制御部１７ｈを含んでいる。
【００８７】
通話処理部１７ａは、携帯電話１と他の携帯電話との通話処理、または他の無線送受信機との通信処理を制御する。通話処理部１７ａは、例えば通話入力部２２，通話出力部２３，送受信部２、および必要に応じて表示部２０、スピーカ２１、または撮影部２４などを制御する。
【００８８】
メール処理部１７ｂは、携帯電話１におけるメール処理（作成、送受信など）を行う。音楽制御部１７ｃは、携帯電話１における音楽再生を制御する。ＪＡＶＡ（登録商標）処理部１７ｄは、携帯電話１におけるＪＡＶＡ（登録商標）処理を制御する。Ｗｅｂ処理部１７ｅは、携帯電話１におけるＷｅｂ接続を制御する。撮影制御部１７ｆは、撮影部２４を用いた、携帯電話１における撮影を制御する。映像制御部１７ｇは、携帯電話１における映像再生を制御する。バイブ制御部１７ｈは、バイブ部２５を用いた、携帯電話１における振動動作を制御する。
【００８９】
通知処理部１８は、電源制御部１６においてチューナモジュール１２から得た情報に基づいて、所定の場合にユーザへの通知処理を行う。
【００９０】
動作判定部１９は、電源制御部１６においてチューナモジュール１２から得た情報に基づいて、所定の場合にユーザの行っている動作を判定し、それに基づいて所定の処理を行う。
【００９１】
また、電源部６は、選択部２７および電源２８を含んでいる。電源２７は、電源制御部１６から出力される選択信号に応じた出力先を選択し、電源２８から供給される電力を出力先へと分配するものである。電源２８は、携帯電話１の電源であり、例えば充電可能なバッテリーが用いられる。電源２８は、特に図示しないが、携帯電話１の制御部４など各部に電力を供給する。
【００９２】
上述した携帯電話１のＴＶ受信機能について、図２に基づいて説明する。図２は、携帯電話１のＴＶ受信機能に係る部材を示し、電話機能のみに関する部材を省略したブロック図である。
【００９３】
図２に示すように、より詳細には、送受信部２のチューナモジュール１２は、チューナ３０ａおよびＯＦＤＭ(Orthogonal  Frequency  Division  Multiplexing)Ｉ／Ｆ３０ｂからなるチューナ部３０と、ＯＦＤＭ復調器（復調器）３１とを含んでいる。
【００９４】
チューナ部３０およびＯＦＤＭ復調器３１は、通常、それぞれ１個の半導体チップとして設けられる。チューナ部３０はアンテナ部１１ａを介して放送信号を受信する。チューナ部３０は、チューナ制御部１５の制御に応じて受信を行う。チューナ部３０のチューナ３０ａは、チューナ制御部１５の制御に応じて所定の周波数での受信を行う。また、チューナ３０ａは、受信レベルを電源制御部１６のレベル検出部１６ａへと出力する。ＯＦＤＭＩ／Ｆ３０ｂは、ＯＦＤＭ復調器３１への出力インタフェースである。チューナ３０ａおよびＯＦＤＭＩ／Ｆ３０ｂには、それぞれ独立に電力が供給される。
【００９５】
ＯＦＤＭ復調器３１は、チューナ部３０から入力される信号を復調してデコーダ部１３へと出力する。ここで、ＯＦＤＭ復調器３１は誤り訂正を行いながら、信号を復調する。ＯＦＤＭ復調器３１は、復調に伴い得た誤り率を、電源制御部１６の誤り率検出部１６ｂへと出力する。
【００９６】
なお、チューナ３０ａにおける受信レベルが所定のレベル未満である場合には、ＯＦＤＭ復調器３１において復調が実行できなくなる。また、ＯＦＤＭ復調器３１における誤り訂正は、誤り率が例えば１０-2程度の所定の値以下であるときのみ機能する。すなわち、携帯電話１においては、受信レベルまたは誤り率が不適切である場合には、地上波デジタルＴＶを受信して表示部２０に表示したり、スピーカ２１から出力したりすることができなくなる。
【００９７】
また、制御部４の電源制御部１６は、レベル検出部（検出部）１６ａ、誤り率検出部（検出部）１６ｂ、判定部１６ｃおよび選択制御部１６ｄを含んでいる。
【００９８】
レベル検出部１６ａは、チューナ３０ａから入力される受信レベルを判定部１６ｃへと出力する。誤り率検出部１６ｂは、ＯＦＤＭ復調器３１から入力される誤り率を判定部１６ｃへと出力する。
【００９９】
判定部１６ｃは、レベル検出部１６ａからの受信レベルが所定レベル以上である場合には、受信レベルが十分大きいとして、所定の選択信号を選択制御部１６ｄから選択部２７へと出力させる。また、判定部１６ｃは、誤り率検出部１６ｂからの誤り率が所定以下である場合には、誤り率が十分小さいとして、所定の選択信号を選択制御部１６ｄから選択部２７へと出力させる。また、判定部１６ｃは、判定結果を通知処理部１８に出力する。また判定部１６ｃは、判定結果を動作判定部１９に出力する。
【０１００】
選択制御部１６ｄは、判定部１６ｃからの信号に応じた選択信号を生成して選択部２７へと出力する。
【０１０１】
また、表示部２０は、より詳細には、駆動回路２０ａ、表示パネル２０ｂ、点灯回路２０ｃおよびバックライト２０ｄを含んでいる。
【０１０２】
駆動回路２０ａは、映像データに基づいて表示素子としての表示パネル２０ｂを駆動するドライバ回路である。駆動回路２０ａには、デコーダ部１３から映像データが入力される。また、駆動回路２０ａには、選択部２７から電力が供給される。駆動回路２０ａは、供給される電力を表示パネル２０ｂへと出力するとともに、入力される映像信号を表示パネル２０ｂにおける表示に適した形式に変換して、順次表示パネル２０ｂに出力する。
【０１０３】
表示パネル２０ｂは、駆動回路２０ａから電力が供給されると、駆動回路２０ａから入力される信号に基づいて表示を行う。本実施形態の表示パネル２０ｂは液晶ディスプレイ（ＬＣＤ）であるが、これに限るものではなく、例えばプラズマディスプレイ（ＰＤＰ:Plasma  Display  Panel）、ＥＬ（Electroluminescence）ディスプレイなどの表示素子であってもよい。
【０１０４】
また、点灯回路２０ｃは、映像データに基づいてバックライト２０ｄを駆動するドライバ回路である。点灯回路２０ｃには、デコーダ部１３から映像データが入力される。また、点灯回路２０ｃには、選択部２７から電力が供給される。点灯回路２０ｃは、入力される映像信号に適したタイミングで電力をバックライト２０ｄへと出力して、バックライト２０ｄを点灯させる。
【０１０５】
ここで、携帯電話１の表示パネル２０ｂにおける表示状態の例について、図３（ａ）〜（ｆ）に基づいて説明をする。
【０１０６】
図３（ａ）には、ＴＶ視聴とメール作業（作成、送受信）とを同時におこなうための２画面構成の一例を示す。最上部の領域３５ａは、電波受信状態やバッテリー（電源２８）の残量などを示すピクチャーアイコンを表示するＰＩＣＴ領域である。領域３５ａを除いた領域が領域３５ｂと領域３５ｃとの２つの領域に分割されている。領域３５ｂはＴＶ視聴のためのＴＶ画面領域であり、チャネル情報を表示するチャネル領域３６ａと受信した映像を表示する映像表示領域３６ｂとを含んでいる。チャネル領域３６ａには、例えば現在視聴可能なチャネルをリスト表示して、現在視聴しているチャネルを強調表示してもよい。領域３５ｃはメール作業領域である。操作部２６を用いて領域３５ｂを選択し、例えば視聴するチャネルを変更したり、ＴＶの音量を調整したりすることができる。また、操作部２６を用いて領域３５ｃを選択し、メール作業を行うことができる。
【０１０７】
また、図３（ａ）に示す状態において、チャネル情報を表示するチャネル領域３６ａを省いて、図３（ｂ）に示すような表示画面２０ｂとしてもよい。図３（ｂ）には、ＰＩＣＴ領域３５ａの下に、画面分割してＴＶ画面領域３５ｄとメール作業領域３５ｃとを配置した構成を示す。ＴＶ画面領域３５ｄのように、図３（ａ）に示すＴＶ画面領域３５ｂからチャネル情報を表示するチャネル領域３６ａを省いてもよい。
【０１０８】
また、この状況において、例えばＴＶ放送の受信状況が悪化して表示できなくなった場合には、その旨をユーザに所望の方式で通知した上で、ＴＶ画面領域３５ｂ・３５ｄなどを消して、図３（ｃ）に示すようなメール作業領域３５ｅとしてもよい。また、さらには、ＴＶ放送を視聴してもＴＶ映像は出力させず、ＴＶの音声のみを出力させる構成も考えられる。例えばこの場合にも図３（ｃ）に示す構成としてもよい。
【０１０９】
また、上述の図３（ａ）にはＰＩＣＴ領域３５ａを設けた一例について説明したが、これに限るものではなく、図３（ｄ）に示すように、ＰＩＣＴ領域３５ａを設けずにＴＶ画面領域３５ｆとメール作業領域３５ｇとを表示してもよい。ここで、図３（ｄ）には、ＴＶ画面領域３５ｆに、チャネル領域３６ｃと映像表示領域３６ｄとを含んだ一例を示したが、これに限るものではなく、ＴＶ画面領域が映像表示領域のみを含んでいる構成であってもよい。
【０１１０】
また、図３（ｄ）に示す構成においてメール作業が終了した場合には、メール作業領域３５ｇを消去して、図３（ｅ）に示すように表示パネル２０ｂがＴＶ画面領域のみを表示するようにしてもよい。この場合、ＴＶ画面領域には、チャネル領域３６ｅと映像表示領域３６ｆとが含まれる。この構成に限らず、ＴＶ画面領域が映像表示領域のみを含む構成であってもよい。この状態において、例えばメール作業を行う旨の指示を操作部２６にて検出すると、制御部４は表示部２０の表示状態を、図３（ｆ）に示すように、ＴＶ画面領域３５ｈとメール作業領域３５ｉとを含む状態へと変更する。
【０１１１】
なお、メール作業領域として説明した領域に表示する内容はメールに限るものではなく、例えばＴＶ電話における相手端末からの映像を表示してもよいし、または例えばＷｅｂアクセス内容、カメラ作業の内容であってもよいし、またはＪＡＶＡ（登録商標）処理を表示し、または音楽再生中に再生状態などを表示してもよい。
【０１１２】
また、ＴＶを受信する際には、所望のチャネル（ｃｈ）を操作部の図示しないテンキーから打ち込むこともできるが、以下のように選択することもできる。
【０１１３】
図４は、携帯電話１を用いて所定のＷｅｂサイトにアクセスした場合の表示パネル２０ｂの状態を示す。例えば領域３３ａには日付が表示され、領域３３ｂにはチャネルが表示されている。そして、領域３３ｃには、その日付・チャネルにおける番組が表示されている。また、領域３３ｄに、関連するサイトへのリンクが表示されている。このように、所定のＷｅｂサイトにおいて、ＴＶ放送されるチャネルごとに、そのチャネルにおいて放送される番組表が提供されているものとする。携帯電話１においては、Ｗｅｂサイトからダウンロードした番組表について、制御部４の認識する現在の時間に応じた時間の番組を選択し、表示パネル２０ｂにおいて反転表示する。また、操作部２６において所定のボタンを押すと、この番組が選択されたものとして、制御部４のチューナ制御部１５がその番組への切り替えを行う。このようにして所望のチャネルを選択することもできる。また、Ｗｅｂサイトからダウンロードした番組表を、例えば図３（ａ）のチャネル領域３６ａに、チャネル情報として表示してもよい。
【０１１４】
また、チャネル情報としては、所定のチャネルにおいて放送される番組についての番組表の形式に限るものではない。例えば、所定のＷｅｂサイトにアクセスして、所定のキーワードに関連する番組を抽出し、それをチャネル情報としてダウンロードすることもできる。また、ＴＶ受信を予約する場合には、日時やチャネルを操作部の図示しないテンキーから打ち込んでもよいし、または上述のように番組表を用いてもよい。番組表を用いる場合には、上述の動作において選択された番組を予約すればよい。または、その他のコード（Ｇコードなど）を入力して予約することもできる。
【０１１５】
また、チャネルについての情報を得るのは上述の構成に限るものではない。例えば、携帯電話１は、電話機として機能するとき、最寄りの基地局とデータの送受信をすることによって、相手方との通話を行う。
【０１１６】
ここで、この携帯電話１は、基地局の位置から、自身が現在いる位置を判別することができる。より詳細には、例えば基地局側から基地局についての位置情報が携帯電話１へと送信される。この位置情報を用いて、携帯電話１は、自身が現在いる位置を認識した上で、その位置におけるチャネル情報を例えばＷｅｂにより取得できる。また、基地局から直接チャネル情報が提供される構成であってもよい。または、チャネルについての情報を得るためにＷｅｂアクセスを開始すると、一旦基地局からの位置情報を取得した上で、その位置情報に応じたＷｅｂサイトへとＷｅｂ処理部がアクセスして、その領域におけるチャネル情報をダウンロードする構成であってもよい。これによって、例えば所望の番組の開始時間になったときに、番組のチャネルを確認した地域から遠くの地域へと移動していた場合であっても、適切にチャネル変更をして、所望の番組を視聴し、または録画することができる。
【０１１７】
上述のようにして基地局情報からチャネル情報を得て、（その位置で受信できる）チャネルがない場合には、ＴＶ受信のみに係る部材について電力の供給を停止し、後述するパワーセーブモードすら用いないで、間欠受信をせずに、電力供給を停止したままとしてもよい。一方、電話の基地局情報からチャネル情報を得て、（その位置で受信できる）チャネルがある場合には、後述のパワーセーブモードを用いてもよい。このようにして、消費電力を低減できる。
【０１１８】
また、携帯電話１は、ユーザによる設定を保存するために、記憶部５に設定ファイル５ａを含んでいる。この記憶部５の設定ファイル５ａを読み込むことによって、予め設定した所定の動作を携帯電話１に実行させることができる。
【０１１９】
次に、携帯電話１におけるＴＶ受信動作について、図５のフローチャートに基づいて説明する。以下の各処理においては、予め値が設定され、記録された記憶部５の設定ファイル５ａが制御部４によって読み出され、それに応じた処理がなされる。なお、以下に説明する各ステップを含む手順は、以下で説明する形態に限るものではなく、種々の変更が可能であり、各ステップを組み合わせて得られる手順についても、本発明の技術的範囲に含まれる。
【０１２０】
ユーザによるＴＶ視聴指示を操作部２６にて検出すると、携帯電話１は、操作部２６からの操作データに応じて、チューナ制御部１５がチューナモジュール１２を制御して、所望のチャネル（ｃｈ）での視聴を可能とする。
【０１２１】
Ｓ１において、チューナモジュール１２のチューナ３０ａは、アンテナ部１１ｂを介して得た受信レベルを、レベル検出部１６ａへと出力する。判定部１６ｃは、レベル検出部１６ａに入力された受信レベルが所定のレベル以上であるか否かを判定する。所定のレベル以上である場合にはＳ２に進み、所定のレベル未満であった場合にはＳ５に進む。
【０１２２】
Ｓ２においては、チューナモジュール１２のＯＦＤＭ復調器３１は、誤り率を誤り率検出部１６ｂへと出力する。判定部１６ｃは、誤り率検出部１６ｂに入力された誤り率が所定のレベル以下であるか否かを判定する。所定のレベル以下である場合にはＳ３に進み、所定のレベルを超えていた場合にはＳ５に進む。
【０１２３】
このように、受信開始後のＳ１・Ｓ２において、電波の受信状態が適切であるか否かを制御部４が判定する。制御部４は、判定結果に応じて、その後の処理を異ならせる。すなわち、受信状態が適切である場合には、Ｓ３以下へと進んで表示部２０などへと電力を供給してテレビを再生出力する。受信状態が適切でない場合には、Ｓ５・Ｓ６を介してＳ７のパワーセーブモードへと進み、例えば表示部２０への電力供給を停止する。また、受信状態の適否に応じたユーザへの通知処理をＳ５またはＳ８にて行う。また、受信状態の適否に応じて、放送信号の再生出力などのために必要な所定の処理を、Ｓ６またはＳ９にて行う。
【０１２４】
Ｓ３では、ＴＶ電波を受信する。ＯＦＤＭ復調器３１から出力されたデータをデコーダ部１３にて復号し、表示部２０およびスピーカ２１へと出力して、ＴＶ映像、ＴＶ音声の再生を行う（再生出力）。なお、Ｓ３における受信開始の前に、携帯電話１において行っていた他の動作を判定する、Ｓ９に示すような動作判定処理Ｂを行ってもよい。このようにすれば、受信開始時にユーザに違和感を与えることがない。
【０１２５】
Ｓ３の次のＳ４では、操作部２６を用いたユーザからのＴＶ視聴の終了指示が入力されたか否かを制御部４が判別する。終了指示が入力された場合には処理を終了し、終了指示が入力されていない場合にはＳ１に戻る。
【０１２６】
Ｓ５においては、Ｓ１において受信レベルが所定のレベル未満であって適切な受信が不可であり、またはＳ２において誤り率が所定のレベルを超えていて適切な復号が不可であるので、ＴＶ放送の受信が中断され、ＴＶ放送を表示、再生できない旨をユーザに通知する通知処理を、通知処理部１８が行う。この通知処理については後述する。
【０１２７】
Ｓ５の次のＳ６においては、ＴＶ放送の受信が中断した際に、携帯電話１においてＴＶ視聴以外に他の動作を行っていたか否かを判定する動作判定処理Ａを、動作判定部１９が行う。動作判定部１９は、どのような動作を行っていたかに応じて、処理を異ならせる。動作判定処理Ａについては後述する。
【０１２８】
Ｓ６の次のＳ７においては、パワーセーブモードに移行する。これは、受信ができない場合に例えばチューナ３０ａなどの電源を常にＯＮしていても無駄となるからである。パワーセーブモードについては後述する。受信が可能となった場合にパワーセーブモードが終了し、Ｓ８に進む。
【０１２９】
Ｓ８においては、受信が可能となったことをユーザに通知する通知処理を通知処理部１８が行い、Ｓ９に進む。
【０１３０】
Ｓ９では、受信が可能となった際に、携帯電話１において何らかの動作を行っていたか否かを判定する動作判定処理Ｂを、動作判定部１９が行う。動作判定部１９は、どのような動作を行っていたかに応じて、処理を異ならせる。動作判定処理Ｂについては後述する。
【０１３１】
Ｓ９の後ではＳ１に戻り、処理を繰り返す。
【０１３２】
以上に説明したＳ１〜Ｓ９の処理によって、受信レベルや誤り率の質が低下してＴＶ視聴が不可となった場合には、後述するような適切なパワーセーブモードに移行して、消費電力を低減できる。
【０１３３】
また、携帯電話１における処理は上述に限るものではなく、例えばマナーモードに応じた処理、携帯電話１の開閉状態に応じた処理も考えられる。例えば、上述の処理中に、ユーザによるマナーモードの選択指示を操作部２６にて検出すると、受信しているＴＶ番組の録画を制御部４が開始する構成であってもよい。録画した番組のデータは記憶部５に記憶される。または、折りたたみ式の携帯電話１が開状態から閉状態になったことを検出すると、制御部４がＴＶ番組の録画を開始してもよい。この場合、その後に閉状態から開状態になったことを検出すると、制御部４が録画したＴＶ番組の再生を開始してもよい。また、例えばＳ５・Ｓ８の通知処理において、携帯電話１が開状態である場合にはスピーカからの音量を大きくし、また携帯電話１が閉状態である場合にはスピーカからの音量を小さくするように、制御部４が制御してもよい。このように、開閉状態に応じて処理を異ならせてもよい。
【０１３４】
また、携帯電話１の自動電源ＯＦＦ機能と連携した処理も考えられる。例えば、予約後に自動電源ＯＦＦ機能によって電源ＯＦＦしていたとしても、予約時間になるとＴＶを起動するように制御部４が制御してもよい。
【０１３５】
または、図５のＳ５における通知処理においては、例えば受信状態が悪いので視聴できない旨をユーザに通知してもよい。このように、受信状態が悪いことを通知すれば、例えば、適切な受信状態が得られる場所へのユーザの移動を促すことができる。また、この通知処理において、アラームをあえて鳴らさないように設定することもできる。この場合、その後に受信状態が回復した場合に、アラームを鳴らすように設定してもよい。
【０１３６】
なお、上述の処理に限るものではなく、例えば受信のキャンセルの可否をユーザに問い合せしてもよい。またこれに限るものではなく、例えばユーザの選択なしに自動的にキャンセルしたり、または今は表示できない旨の表示をしてキャンセルする構成であってもよい。
【０１３７】
次に、ユーザへの通知を行う通知処理について、図６に基づいて説明する。この通知処理においては、予め値が設定され、記録された記憶部５の設定ファイル５ａが、通知処理部１８によって読み出され、以下の処理が行われる。
【０１３８】
Ｓ１１においては、設定ファイル５ａに、音を鳴らすと設定されていたか否かを通知処理部１８が判別する。音を鳴らす場合にはＳ１２に進み、そうでない場合にはＳ１３に進む。Ｓ１２では、通知処理部１８がスピーカ２１を用いて指定のメロディを指定の時間にわたって鳴らし、Ｓ１３に進む。
【０１３９】
Ｓ１３では、設定ファイル５ａに、ＬＥＤ・ピクチャライトを点灯すると設定されていたか否かを通知処理部１８が判別する。点灯する場合にはＳ１４に進み、そうでない場合にはＳ１５に進む。Ｓ１４では、通知処理部１８がユーザＩＦ部３の図示しないＬＥＤまたはピクチャライトを指定のパターンで指定の時間にわたって点灯し、Ｓ１５に進む。
【０１４０】
Ｓ１５では、設定ファイル５ａに、バイブをＯＮすると設定されていたか否かを通知処理部１８が判別する。ＯＮする場合にはＳ１６に進み、そうでない場合にはＳ１７に進む。Ｓ１６では、通知処理部１８がバイブ制御部１７ｈに指示出力して、指定のパターンで指定の時間にわたってバイブ部２５を振動させ、Ｓ１７に進む。
【０１４１】
Ｓ１７では、設定ファイル５ａに、指定電話番号に発信すると設定されていたか否かを通知処理部１８が判別する。発信する場合にはＳ１８に進み、そうでない場合にはＳ１９に進む。Ｓ１８では、通知処理部１８が通話処理部１７ａに指示出力して、指定の電話番号に発信し、Ｓ１９に進む。
【０１４２】
Ｓ１９では、設定ファイル５ａに、指定メールアドレスにメール送信すると設定されていたか否かを通知処理部１８が判別する。メール送信する場合にはＳ２０に進み、そうでない場合には処理を終了する。Ｓ２０では、通知処理部１８がメール処理部１７ｂに指示出力して、指定メッセージを指定のメールアドレスに送信し、処理を終了する。
【０１４３】
以上で説明した通知処理を行うことによって、受信の切断または回復をユーザに通知することができる。なお、Ｓ１１およびＳ１２、Ｓ１３およびＳ１４、Ｓ１５およびＳ１６、Ｓ１７およびＳ１８、Ｓ１９およびＳ２０を行う順序はこれに限るものではない。また、通知処理において行う動作はこれに限るものではなく、例えば通知処理部１８が新たに所定のＰＩＣＴアイコンを表示部２０に表示させてもよい。
【０１４４】
なお、図５のＳ５における開始時における視聴不可、または切断時の通知処理と、Ｓ８における回復時の通知処理とでは、通知処理において行う動作を異ならせてもよい。例えば切断時にはユーザが画面を注視しているものと予想されるので、意図的に音は鳴らさないようにしてもよい。また、回復時には、バックライト２０ｄを点灯して、回復した旨をユーザに通知してもよい。また、回復時には、例えばユーザが携帯電話１をしまっている場合が考えられるので、例えば「つながりました」という音声を発するようにしてもよい。
【０１４５】
次に、操作開始時に受信ができなかった場合、またはＴＶ放送の受信が中断した場合に行っていた他の動作を判定する、図５のＳ６に示す動作判定処理Ａについて、図７に基づいて説明する。
【０１４６】
Ｓ２１では、中断した際に通話中、または他の無線送受信機とのデータ通信中であったか否かを動作判定部１９が判別する。通話中または通信中であった場合にはＳ２２に進んで動作判定部１９が通信中処理Ａを行ってその後に処理を終了し、そうでなかった場合にはＳ２３に進む。
【０１４７】
ここで、動作判定処理Ａにおける通話中処理Ａは、図１０に示すように、まずＳ５１において、ＴＶを通信相手（ＴＶ電話での相手先ユーザ）に見せていたか否かを動作判定部１９が判別する。通信相手に見せていた場合にはＳ５２に進み、通信相手に見せていなかった場合にはＳ５３に進む。Ｓ５２においては、動作判定部１９の制御に基づき、受信不可になったことに伴い画面状態を変更し、また相手先への転送をＯＦＦして、処理を終了する。また、Ｓ５３においては、動作判定部１９が、ＴＶ音量がＯＮであったか否かを判別する。ＴＶ音量がＯＮであった場合にはＳ５４に進んでＴＶ音量をＯＦＦして処理を終了し、ＯＮでなかった場合には処理を終了する。
【０１４８】
図７に戻ると、Ｓ２３では、中断した際にＷｅｂ中またはメール中であったか否かを動作判定部１９が判別する。Ｗｅｂ中またはメール中であった場合にはＳ２４に進んで動作判定部１９がＷｅｂ・メール中処理Ａを行ってその後に処理を終了し、そうでなかった場合にはＳ２５に進む。
【０１４９】
動作判定処理ＡにおけるＷｅｂ・メール中処理Ａは、図１１に示すように、まずＳ５５において、画面分割していたか否かを動作判定部１９が判別する。分割していた場合にはＳ５６に進み、分割していなかった場合にはＳ５７に進む。Ｓ５６では、動作判定部１９の制御に基づき、ＴＶ画面を除いたＷｅｂまたはメールのみの一画面に戻して処理を終了する。Ｓ５７では、画面表示をスルー画面にしていたか否かを動作判定部１９が判別する。ここで、スルー表示とは、例えばＴＶ映像を背景としてスルー状態で表示した上に、Ｗｅｂまたはメールの画面を重ねて表示することをいう。スルー表示であった場合にはＳ５８に進んでＷｅｂまたはメールのみの通常画面に戻して処理を終了し、スルー状態でなかった場合には処理を終了する。
【０１５０】
図７に戻ると、Ｓ２５では、中断した際にカメラ中であったか否かを動作判定部１９が判別する。カメラ中であった場合にはＳ２６に進んで動作判定部１９がカメラ中処理Ａを行ってその後に処理を終了し、そうでなかった場合にはＳ２７に進む。
【０１５１】
動作判定処理Ａにおけるカメラ中処理Ａは、図１２に示すように、まずＳ６１において、画面分割していたか否かを動作判定部１９が判別する。分割していた場合にはＳ６２に進んでＴＶ画面を除いたカメラのみの一画面に戻して処理を終了し、分割していなかった場合には処理を終了する。
【０１５２】
図７に戻ると、Ｓ２７では、中断した際にＪＡＶＡ（登録商標）中であったか否かを動作判定部１９が判別する。ＪＡＶＡ（登録商標）中であった場合にはＳ２８に進んで動作判定部１９がＪＡＶＡ（登録商標）中処理Ａを行ってその後に処理を終了し、そうでなかった場合にはＳ２９に進む。
【０１５３】
動作判定処理ＡにおけるＪＡＶＡ（登録商標）中処理Ａは、図１３に示すように、まずＳ６３において、ＪＡＶＡ（登録商標）が一時停止中であったか否かを動作判定部１９が判別する。一時停止中であった場合にはＳ６４に進んでＪＡＶＡ（登録商標）を再開して処理を終了し、一時停止中でなかった場合には処理を終了する。
【０１５４】
図７に戻ると、Ｓ２９では、中断した際に音楽再生中であったか否かを動作判定部１９が判別する。音楽再生中であった場合にはＳ３０に進んで動作判定部１９が音楽再生中処理Ａを行ってその後に処理を終了し、そうでなかった場合には処理を終了する。
【０１５５】
動作判定処理Ａにおける音楽再生中処理Ａは、図１４に示すように、まずＳ６５において、音楽再生が一時停止中であったか否かを動作判定部１９が判別する。一時停止中であった場合にはＳ６６に進んで音楽再生を再開して処理を終了し、一時停止中でなかった場合には処理を終了する。
【０１５６】
次に、図５のＳ６におけるパワーセーブモードについて、図８に基づいて説明する。
【０１５７】
パワーセーブモードにおいては、必要な箇所に必要なタイミングで必要な電力を供給する。パワーセーブモードにおいて、受信レベル、誤り率が適切なものであるか否かを判別し、適切なものであればパワーセーブモードを終了する。
【０１５８】
Ｓ３１においては、携帯電話１の所定の部材の電源をＯＦＦする（電源ＯＦＦレベル１）。例えば、中断した際にＴＶ視聴のみを行っていた場合には、携帯電話１の電源を完全にＯＦＦしてもよい。図５のＳ５における通知処理後であるので、ユーザに混乱を与えることはない。
【０１５９】
または、動作判定処理Ａにおいて、他の動作を行っていたと判定された場合には、そちらを優先する。または、パワーセーブモードの最中に、例えばメールなどの他モードが選択されると、割り込み処理として、選択されたモードが優先処理される。例えばメールを送信する旨の指示を操作部２６にて検出すると、制御部４は、ＯＦＦしていた表示部２０への電力供給を再開して、バックライト２０ｄを点灯させる。このように、携帯電話１の電話機能部１７によって制御される各部材については電力を供給する。
【０１６０】
また、例えばチューナ制御部１５に制御されるチューナモジュール１２のような他の部材については、電力を供給する必要がないので、一旦供給を停止する。なお、このＳ３１における電源ＯＦＦの構成はこれに限るものではなく、例えば他の動作にかかわらず強制的に電源をＯＦＦしてもよいし、または例えば各部材への電力供給をＯＦＦするか否かをユーザに問い合せるようにしてもよい。
【０１６１】
Ｓ３１の次のＳ３２では、所定の時間が経過したか否かを判別する。このステップは、以下Ｓ３３で行う電源ＯＮを常におこなうと電力が無駄となるため、所定の時間置きに間欠的にＳ３３へと移行させるために設けられる。所定の時間が経過していない場合には処理を繰り返し、所定の時間が経過するとＳ３３に進む。なお、本実施形態においては、Ｓ３２において所定時間の経過を判別しているが、これに限るものではなく、その他の所定の条件を検出してもよい。
【０１６２】
Ｓ３３では、Ｓ３１においてＯＦＦしたチューナモジュール１２のうち、チューナ部３０のチューナ３０ａについてのみ、新たに電力を供給する（電源ＯＦＦレベル２）。
【０１６３】
Ｓ３３の次のＳ３４では、Ｓ３３においてＯＮしたチューナ３０ａからの受信レベルが所定のレベル以上であるか否かを、判定部１６ｃが判別する。所定のレベル未満である場合にはＳ３１に戻り、所定のレベル以上である場合にはＳ３５に進む。
【０１６４】
Ｓ３５では、Ｓ３１においてＯＦＦしたチューナモジュール１２のうち、ＯＦＤＭ復調器３１およびチューナ部３０のＯＦＤＭＩ／Ｆ３０ｂについてのみ、新たに電力を供給する（電源ＯＦＦレベル３）。
【０１６５】
Ｓ３５の次のＳ３６では、Ｓ３５においてＯＮしたＯＦＤＭ復調器３１からの誤り率が所定のレベル以下であるか否かを、判定部１６ｃが判別する。所定のレベルを超えている場合にはＳ３１に戻り、所定のレベル以下である場合には処理を終了する。
【０１６６】
以上のように、パワーセーブモードにおいては、Ｓ３１においてＴＶ視聴のみに必要な部材への電力供給をＯＦＦし、その後にＳ３３，Ｓ３５において、それぞれ必要な部材のみに電力を供給する。これによって、無駄な電力供給をなくして、消費電力を低減できる。
【０１６７】
次に、ＴＶ放送の受信を再開した際に他の動作を行っていたかを判定する動作判定処理Ｂについて、図９に基づいて説明する。
【０１６８】
Ｓ４１では、回復し、受信を再開した際に通話中、または他の無線送受信機とのデータ通信中であったか否かを動作判定部１９が判別する。通話中または通信中であった場合にはＳ４２に進んで動作判定部１９が通信中処理Ｂを行ってその後に処理を終了し、そうでなかった場合にはＳ４３に進む。
【０１６９】
ここで、動作判定処理Ｂにおける通話中処理Ｂは、図１５に示すように、まずＳ７１において、通話や通信を中止してＴＶを見るか否かの問い合せを動作判定部１９が表示部２０に表示する。ユーザによる指示を操作部２６にて検出し、通話などを中止してＴＶを見るとの内容が選択された場合にはＳ７２に進んで通話などをＯＦＦして処理を終了し、そうでない場合にはＳ７３に進む。
【０１７０】
Ｓ７３では、ＴＶを通話相手に見せるか否かの問い合せを動作判定部１９が表示部２０に表示する。ユーザによる指示を操作部２６にて検出し、通話相手に転送するとの内容が選択された場合にはＳ７４に進んでＴＶをＯＮするとともに通話相手への転送をＯＮして処理を終了し、そうでない場合にはＳ７５に進む。
【０１７１】
Ｓ７５では、ＴＶ音量をＯＮするか否かの問い合せを動作判定部１９が表示部２０に表示する。ユーザによる指示を操作部２６にて検出し、ＴＶ音量をＯＮするとの内容が選択された場合にはＳ７６に進んでＴＶ音量をＯＮして処理を終了し、そうでない場合には処理を終了する。なお、ＴＶ音量をＯＮする場合には、ＴＶ音量または通話音量の一方の音量を下げるようにする。これによって、ＴＶ視聴と通話との両方を行うことができる。
【０１７２】
また、通話中処理Ｂにおける処理はこれに限るものではなく、例えば通常の電話ではなくＴＶ電話で話しているときに受信状態が回復した場合には、ＴＶ電話を優先させて、上述のＳ７１〜Ｓ７６の処理ではなく、単にＴＶ画面を復帰しないようにしてもよい。このように、ＴＶ以外の処理を優先し、ＴＶ受信をしない場合には、チューナモジュール１２への電力供給をＯＦＦして、ＴＶ受信を完全に停止してもよい。
【０１７３】
図９に戻ると、Ｓ４３では、再開した際にＷｅｂ中またはメール中であったか否かを動作判定部１９が判別する。Ｗｅｂ中またはメール中であった場合にはＳ４４に進んで動作判定部１９がＷｅｂ・メール中処理Ｂを行ってその後に処理を終了し、そうでなかった場合にはＳ４５に進む。
【０１７４】
動作判定処理ＢにおけるＷｅｂ・メール中処理Ｂは、図１６に示すように、まずＳ７７において、Ｗｅｂやメールを中止してＴＶを見るか否かの問い合せを動作判定部１９が表示部２０に表示する。ユーザによる指示を操作部２６にて検出し、Ｗｅｂやメールを中止してＴＶを見るとの内容が選択された場合にはＳ７８に進んでＷｅｂやメールをＯＦＦして処理を終了し、そうでない場合にはＳ７９に進む。
【０１７５】
Ｓ７９では、ＴＶを視聴するために画面分割をするか否かの問い合せを動作判定部１９が表示部２０に表示する。ユーザによる指示を操作部２６にて検出し、画面分割するとの内容が選択された場合にはＳ８０に進んで画面分割して処理を終了し、そうでない場合にはＳ８１に進む。
【０１７６】
Ｓ８１では、スルー表示をするか否かの問い合せを動作判定部１９が表示部２０に表示する。ユーザによる指示を操作部２６にて検出し、スルー表示をするとの内容が選択された場合にはＳ８２に進んでスルー表示に変更して処理を終了し、そうでない場合には処理を終了する。
【０１７７】
図９に戻ると、Ｓ４５では、再開した際にカメラ中であったか否かを動作判定部１９が判別する。カメラ中であった場合にはＳ４６に進んで動作判定部１９がカメラ中処理Ｂを行ってその後に処理を終了し、そうでなかった場合にはＳ４７に進む。
【０１７８】
動作判定処理Ｂにおけるカメラ中処理Ｂは、図１７に示すように、まずＳ８５において、カメラ使用を中止してＴＶを見るか否かの問い合せを動作判定部１９が表示部２０に表示する。ユーザによる指示を操作部２６にて検出し、カメラ使用を中止してＴＶを見るとの内容が選択された場合にはＳ８６に進んでカメラをＯＦＦして処理を終了し、そうでない場合にはＳ８７に進む。
【０１７９】
Ｓ８７では、ＴＶを視聴するために画面分割をするか否かの問い合せを動作判定部１９が表示部２０に表示する。ユーザによる指示を操作部２６にて検出し、画面分割するとの内容が選択された場合にはＳ８８に進んで画面分割して処理を終了し、そうでない場合には処理を終了する。
【０１８０】
図９に戻ると、Ｓ４７では、再開した際にＪＡＶＡ（登録商標）中であったか否かを動作判定部１９が判別する。ＪＡＶＡ（登録商標）中であった場合にはＳ４８に進んで動作判定部１９がＪＡＶＡ（登録商標）中処理Ｂを行ってその後に処理を終了し、そうでなかった場合にはＳ４９に進む。
【０１８１】
動作判定処理ＢにおけるＪＡＶＡ（登録商標）中処理Ｂは、図１８に示すように、まずＳ９０において、ＪＡＶＡ（登録商標）を中止してＴＶを見るか否かの問い合せを動作判定部１９が表示部２０に表示する。ユーザによる指示を操作部２６にて検出し、ＪＡＶＡ（登録商標）を中止してＴＶを見るとの内容が選択された場合にはＳ９１に進んでＪＡＶＡ（登録商標）をＯＦＦして処理を終了し、そうでない場合にはＳ９２に進む。
【０１８２】
Ｓ９２では、ＪＡＶＡ（登録商標）を一時停止してＴＶを見るか否かの問い合せを動作判定部１９が表示部２０に表示する。ユーザによる指示を操作部２６にて検出し、ＪＡＶＡ（登録商標）を一時停止してＴＶを見るとの内容が選択された場合にはＳ９３に進んでＪＡＶＡ（登録商標）を一時停止して処理を終了し、そうでない場合には処理を終了する。
【０１８３】
図９に戻ると、Ｓ４９では、再開した際に音楽再生中であったか否かを動作判定部１９が判別する。音楽再生中であった場合にはＳ５０に進んで動作判定部１９が音楽再生中処理Ｂを行ってその後に処理を終了し、そうでなかった場合には処理を終了する。
【０１８４】
動作判定処理Ｂにおける音楽再生中処理Ｂは、図１９に示すように、まずＳ９４において、音楽再生を中止してＴＶを見るか否かの問い合せを動作判定部１９が表示部２０に表示する。ユーザによる指示を操作部２６にて検出し、音楽再生を中止してＴＶを見るとの内容が選択された場合にはＳ９５に進んで音楽再生をＯＦＦして処理を終了し、そうでない場合にはＳ９６に進む。
【０１８５】
Ｓ９６では、ＴＶ音量をＯＮするか否かの問い合せを動作判定部１９が表示部２０に表示する。ユーザによる指示を操作部２６にて検出し、ＴＶ音量をＯＮするとの内容が選択された場合には、Ｓ９７に進んでＴＶ映像を表示部２０に表示するとともにＴＶ音量をＯＮして処理を終了し、そうでない場合には処理を終了する。なお、ＴＶ音量をＯＮする場合には、ＴＶ音量または音楽再生の一方の音量を下げるようにする。これによって、ＴＶ視聴と音楽視聴との両方を行うことができる。
【０１８６】
なお、図９における処理は、上述した処理に限るものではない。例えば、ＴＶ放送の受信を開始、再開する際に、他のチャネルの番組を視聴している場合も考えられる。この場合には、例えば現在のチャネルの視聴を中止して予約した番組を見るか否かの問い合せを行い、または画面分割して両方視聴するかの問い合せを行うなどすればよい。
【０１８７】
以上のように、本実施形態の携帯電話１によれば、チューナモジュール１２における受信状態としての受信レベルや誤り率に応じて、電源制御部１６から選択信号を生成し、電源部６からの電力供給を調整するので、受信状態に応じた適切な電力供給制御が可能となる。
【０１８８】
ここで、上述の携帯電話１において消費電力が大きい部材は、第１がバックライト２０ｄであり、第２がチューナ３０ａである。そこで、上述のように、受信状態が悪化した場合にはバックライト２０ｄをオフする。また、チューナ３０ａは間欠的に駆動する。これによって、消費電力を効果的に削減できる。
【０１８９】
なお、上記実施形態の携帯電話１の制御部４の行う各処理ステップは、送受信部２、ユーザＩＦ部３、記憶部５および電源部６を備えるコンピュータ、または各部が装着されたコンピュータにおいて、図示しないＣＰＵなどの演算手段が、ＲＯＭ（Read  Only  Memory）やＲＡＭなどの記憶手段に記憶されたプログラムを実行し、キーボードなどの入力手段、ディスプレイなどの出力手段、あるいは、インターフェース回路などの通信手段を制御することにより実現することができる。したがって、これらの手段を有するコンピュータが、上記プログラムを記録した記録媒体を読取り、当該プログラムを実行するだけで、本実施形態の携帯電話１の各種機能および各種処理を実現することができる。また、上記プログラムをリムーバブルな記録媒体に記録することにより、上記の手段を有するコンピュータ上で上記の各種機能および各種処理を実現することができる。この記録媒体としては、マイクロコンピュータで処理を行うために図示しないメモリ、例えばＲＯＭのようなものがプログラムメディアであっても良いし、また、図示していないが外部記憶装置としてプログラム読取り装置が設けられ、そこに記録媒体を挿入することにより読取り可能なプログラムメディアであっても良い。また、このプログラムとして例えばＪＡＶＡ（登録商標）を用いることもできる。このプログラムをダウンロード可能に記録装置に記録し、携帯端末からインターネットを介して記録装置にアクセスできるようにしてもよい。
【０１９０】
また、上述の実施の形態においては、携帯端末の一例としての携帯電話１について説明したが、本発明はこれに限るものではない。ＴＶ電波を受信することのできる携帯端末であればよく、特にデジタル地上波ＴＶ電波を受信することのできるものであれば、例えばＰＤＡ（Personal  Digital  Assistant）、ＰＨＳ（Personal  Handy-phone  System）などであってもよい。
【０１９１】
また、携帯端末は、上述の携帯電話１のような電力制御を行うものであればよく、例えばアナログＴＶ電波を受信する携帯端末であっても、上述のように受信レベルに応じて電力制御を行うものであれば、本発明の範囲に含まれる。
【０１９２】
また、上述の実施の形態においては、各部材が一体となった携帯電話１について説明したが、本発明はこれに限るものではない。例えば、携帯端末としての携帯電話１は、アンテナ部１１ａおよびチューナモジュール１２が、残りの本体に対して着脱自在の構成であってもよい。また、着脱自在のチューナモジュール１２などは、カード状の媒体によって実現されてもよい。また、このカード状の媒体にプログラムを記憶させ、カード状の媒体が携帯電話１本体に装着されると、媒体のプログラムが読み込まれて、携帯電話１の図示しないＣＰＵが制御部４として機能する構成であってもよい。
【０１９３】
また、携帯電話１がアンテナ部１１ａとアンテナ部１１ｂとを備えた構成について説明したが、一つのアンテナ部１１のみを備え、チューナモジュール１２と無線処理部１４とがアンテナ部１１を共用する構成であってもよい。
【０１９４】
また、携帯電話１は、計測した受信レベルおよび誤り率のデータを記憶部５に蓄積し、ユーザの指示に応じてその時間変化を表示部２０の表示パネル２０ｄに表示させてもよい。
【０１９５】
また、携帯電話１が基地局とデータの送受信をすることによって、基地局の位置に関係する位置情報を得ることができる場合に、ＴＶ放送の電波が届かない位置であると判断した場合には、その旨を表示して警告してもよい。
【０１９６】
また、以上のように、本発明は、電波状況が悪いときの自動再受信（再接続）に関するものであり、地上波デジタル放送対応の携帯電話に関するものである。この携帯電話は、例えば電波状況が悪く電波を受信できない場合には一部の部材への電力供給を停止し、一方電波状況が良くなったことを検出すると部材への電力供給を再開し、その後に自動的に再受信（再接続）をする機能を備えている。また、電波状況が悪くなったとき、または良くなったときには、アラーム告知する機能を備えている。この携帯電話は、電波状況が悪く受信できないかどうかの可否を誤り率で検出する。
【０１９７】
ここで、従来技術では、携帯電話等の電話で使用する電波に関しては、電波の状況によって、電波状態が悪いときに一時的に中断した状況で、電波状態がよくなったときに、再接続する機能があった。この場合、接続の確認のため、例えば相手方へ試験信号を伝送してその返信を待つといったように、少なくとも返信が見込まれる程度の間は、電力供給を継続し、受信し続ける必要があった。
【０１９８】
一方、本実施形態の携帯電話１は、ＴＶ放送信号については受信するのみであり、従来技術のように相手方と接続するということはない。このため、相手方への送信、相手方からの返信の受信を行う必要がなく、そのための待ち時間などが不要である。したがって、その待ち時間に相当する間にも電力供給をＯＦＦすることができる。このようにして、上述のように細かな電力制御が可能となる。
【０１９９】
このように、本願の携帯端末における受信再開機能と、従来の携帯電話の電話での再接続機能とでは、その機能の詳細が異なり、特に長い時間にわたって電波状況が悪いときにその効果の違いが顕著となる。
【０２００】
また、携帯電話の待ち受け状態においても、電力制御が行われる。しかしながら、待ち受け状態での電力制御は、そもそも常に受信している必要がないため、適当なタイミングで接続を試みて受信をするものである。したがって、常に電波を受信する必要がある、本実施形態の携帯電話１のような、ＴＶ電波受信端末の電力制御とは目的が異なるものである。
【０２０１】
また、従来のアナログＴＶ放送、ラジオ放送受信装置は、受信レベルが低下しても、それなりの映像、音声を出力することができたため、細かい電力制御は行われていなかった。すなわち、従来は単に受信し続けているだけであった。
【０２０２】
一方、本実施形態の携帯電話１は、デジタル地上波ＴＶ放送を受信するものであり、受信レベル、誤り率が適切なものでなければ、復調が困難であり、映像、音声を出力することができない。そこで、上述のように電力制御を行い、消費電力の低減を図る。
【０２０３】
ここで、例えば、商品化された地上波デジタル対応の携帯電話の利用シーンとしては、移動中のモバイル環境で使用するケースが多いと考えられる。ここで、電車のトンネル、障害物などによって電波状況が悪くなるなどの障害が起こり、その状況が長く続く場合には、上述のように、障害がなくなった時点で、自動的に受信を再開し、ＴＶ受信状態とする。また、アラームで告知なども行う。このようにアラームで告知するので、ユーザが電波状況を気にせずに済む。また、自動的に受信を再開するので、利用シーンが広がると同時に、電波状況を注視するわずらわしさが改善される。
【０２０４】
上述の具体的な実施形態または実施例は、あくまでも、本発明の技術内容を明らかにするものであって、本発明はそのような具体例にのみ限定して狭義に解釈されるべきものではなく、特許請求の範囲に示した範囲で種々の変更が可能であり、変更した形態、および実施の形態にそれぞれ開示された技術的手段を適宜組み合わせて得られる実施の形態についても本発明の技術的範囲に含まれる。
【産業上の利用可能性】
【０２０５】
本発明に係る携帯端末における受信方法は、消費電力を低減できるので、受信状態が変動しやすく長い駆動時間の必要な携帯端末に適用できる。
【図面の簡単な説明】
【０２０６】
【図１】本発明に係る携帯端末の一例を示す概略のブロック図である。
【図２】上記携帯端末の一部を示すブロック図である。
【図３】（ａ）は上記携帯端末の表示画面の一例を示す平面図であり、（ｂ）は上記携帯端末の表示画面の他の一例を示す平面図であり、（ｃ）は上記携帯端末の表示画面のさらに他の一例を示す平面図であり、（ｄ）は上記携帯端末の表示画面のさらに他の一例を示す平面図であり、（ｅ）は上記携帯端末の表示画面のさらに他の一例を示す平面図であり、（ｆ）は上記携帯端末の表示画面のさらに他の一例を示す平面図である。
【図４】上記携帯端末の表示画面のさらに他の一例を示す平面図である。
【図５】上記携帯端末がＴＶ受信する際に行う処理を示すメインフローチャートである。
【図６】上記メインフローチャートにおける動作の一つを示すフローチャートである。
【図７】上記メインフローチャートにおける他の動作の一つを示すフローチャートである。
【図８】上記メインフローチャートにおけるさらに他の動作の一つを示すフローチャートである。
【図９】上記メインフローチャートにおけるさらに他の動作の一つを示すフローチャートである。
【図１０】上記フローチャートにおける動作の一つを示すフローチャートである。
【図１１】上記フローチャートにおける他の動作の一つを示すフローチャートである。
【図１２】上記フローチャートにおけるさらに他の動作の一つを示すフローチャートである。
【図１３】上記フローチャートにおけるさらに他の動作の一つを示すフローチャートである。
【図１４】上記フローチャートにおけるさらに他の動作の一つを示すフローチャートである。
【図１５】上記フローチャートにおけるさらに他の動作の一つを示すフローチャートである。
【図１６】上記フローチャートにおけるさらに他の動作の一つを示すフローチャートである。
【図１７】上記フローチャートにおけるさらに他の動作の一つを示すフローチャートである。
【図１８】上記フローチャートにおけるさらに他の動作の一つを示すフローチャートである。
【図１９】上記フローチャートにおけるさらに他の動作の一つを示すフローチャートである。
【符号の説明】
【０２０７】
１  携帯電話（携帯端末）
２  送受信部（受信部）
３  ユーザＩＦ部（ユーザインタフェース部）
４  制御部
６  電源部
１２  チューナモジュール
１６  電源制御部
１６ｃ  判定部
１６ｄ  選択制御部
１８  通知処理部
１９  動作判定部
２０  表示部
２１  スピーカ
２８  電源
３０  チューナ部
３１  ＯＦＤＭ復調器（復調器）
【図１】
0004813529.tif 000002
【図２】
0004813529.tif 000003
【図３】
0004813529.tif 000004
【図４】
0004813529.tif 000005
【図５】
0004813529.tif 000006
【図６】
0004813529.tif 000007
【図７】
0004813529.tif 000008
【図８】
0004813529.tif 000009
【図９】
0004813529.tif 000010
【図１０】
0004813529.tif 000011
【図１１】
0004813529.tif 000012
【図１２】
0004813529.tif 000013
【図１３】
0004813529.tif 000014
【図１４】
0004813529.tif 000015
【図１５】
0004813529.tif 000016
【図１６】
0004813529.tif 000017
【図１７】
0004813529.tif 000018
【図１８】
0004813529.tif 000019
【図１９】
0004813529.tif 000020